(57)【要約】  【課題】温度、湿度、花粉等の環境情報をユーザーに提供するサービスにおいて、広範囲、リアルタイム性のある設備を設置するまでには多大な時間を必要としたので、その課題を解決する自動販売機を提供する。  【解決手段】商品を販売する販売制御装置７と、販売制御装置７に電源を供給する電源装置８で構成される自動販売機本体６に、ＡＤＳＬ、光等通信を行なうためのデータ変調／復調装置２を有した自動販売機に、温度、湿度、花粉等の環境情報を検知ですることができる環境検知装置４を自動販売機に搭載することにより、サービスエリアの拡大を短期間で実現し、リアルタイムに環境情報をユーザに提供することができる。【選択図】図１
2006065554.tif 000002
【特許請求の範囲】
【請求項１】
商品を販売する販売制御装置と、前記販売制御装置に電源を供給する電源装置で構成される自動販売機本体に、インターネット通信を行なうためのデータ変調／復調装置を有したことを特徴とする自動販売機。
【請求項２】
前記データ変調／復調装置は、温度、湿度、花粉のいずれかの環境情報を検知することができる環境検知装置と、前記環境検知装置からの環境情報を前記データ変調／復調装置に解釈できるデジタル情報に変換することができるセンサ制御装置に接続され、前記データ変調／復調装置と、前記センサ制御装置と、前記環境検知装置に電源を供給する通信用電源装置を有したことを特徴とする請求項１に記載の自動販売機。
【請求項３】
感度向上のため環境検知装置は、上下、前後、左右の可動できる可動装置を有したことを特徴とする請求項２に記載の自動販売機。
【請求項４】
前記電源装置と、前記通信用電源装置を、１つの電源で構成した共有電源装置を有したことを特徴とする請求項１から３のいずれか一項に記載の自動販売機。
【発明の詳細な説明】
【技術分野】
【０００１】
本発明は、温度、湿度、花粉等の環境情報を収集できる環境検知装置をネットワークに接続された自動販売機に搭載し、広範囲、リアルタイムにユーザーに環境情報を提供できる自動販売機に関する発明である。
【背景技術】
【０００２】
従来から、パーソナルコンピューター（以下ＰＣ）、携帯端末機（以下ＰＤＡ）で、所定のソフトウェアを立ち上げホットスポットサービスのエリア内か否かを判定する機能を有する発明が提案されている。
【０００３】
図８は従来提案されたＰＣ，ＰＤＡに所定の無線型のＬＡＮ装置装置をＰＣカード、ＵＳＢ等の手段で搭載し、ホットスポットサービス用の専用ソフトウェアを立ち上げることにより、現在位置がホットスポットサービスエリア内のアクセスポイントであるかを確認することができる、サービスエリア内であれば、ブラウザー、メール等のインターネットサービスを受けることができるが、サービスエリア外であれば、インターネットサービスを受けることができない。そのためファーストフードの店舗等を中心に各杜サービスエリアの拡大を進めている。
【特許文献１】特開２００２−３１５０５８号公報
【発明の開示】
【発明が解決しようとする課題】
【０００４】
しかしながら、ホットスポットサービスのサービスエリアの拡大するには、特に設置場所の選定、設置オーナーへの承諾等の事務手続きが多く、開局するまでには多大な時間を必要とした。そのため従来のＰＣ，ＰＤＡに所定の無線型のＬＡＮ装置装置をＰＣカード、ＵＳＢ等の手段で搭載し、ホットスポットサービス用の専用ソフトウェアを立ち上げることにより、現在位置がホットスポットサ一ビスエリア内であるかを確認することができる、サービスエリア内であれば、ブラウザー、メール等のインターネットサービスを受けることができるが、サービスエリア外であれば、インターネットサービスを受けることができない。
【０００５】
本発明は、上記課題に鑑み、広範囲、リアルタイムにユーザーに温度、湿度、花粉等の環境情報を提供できる自動販売機を提供することを目的とする。
【課題を解決するための手段】
【０００６】
上記目的を達成するために本発明の自動販売機は、商品を販売する販売制御装置と、前記販売制御装置に電源を供給する電源装置で構成される自動販売機本体に、インターネット通信を行なうためのデータ変調／復調装置を有したのであり、これにより、自動販売機をインターネットに接続することができる。
【発明の効果】
【０００７】
本発明は、商品を販売する販売制御装置と、前記販売制御装置に電源を供給する電源装置で構成される自動販売機本体に、インターネット通信を行なうためのデータ変調／復調装置を有したことにより、自動販売機をインターネットに接続することができる。
【発明を実施するための最良の形態】
【０００８】
請求項１に記載の自動販売機の発明は、商品を販売する販売制御装置と、前記販売制御装置に電源を供給する電源装置で構成される自動販売機本体に、インターネット通信を行なうためのデータ変調／復調装置を有したものであり、これにより、自動販売機をインターネットに接続することができる。
【０００９】
請求項２に記載の自動販売機の発明は、請求項１に記載の発明における前記データ変調／復調装置が、温度、湿度、花粉のいずれかの環境情報を検知することができる環境検知装置と、前記環境検知装置からの環境情報を前記データ変調／復調装置に解釈できるデジタル情報に変換することができるセンサ制御装置に接続され、前記データ変調／復調装置と、前記センサ制御装置と、前記環境検知装置に電源を供給する通信用電源装置を有したものである。
【００１０】
これにより、温度、湿度、花粉等の環境情報を収集できる環境検知装置を上記ホットスポットサービスに接続された自動販売機に搭載し、ネットワークを介して、広範囲、リアルタイムに環境情報をユーザーに提供することができる。
【００１１】
更に、自動販売機の設置間隔で環境検知装置が設置されるため、広範囲なサービスエリアを網羅することができる。
【００１２】
更に、自動販売機は飲料メーカの所有物のため、飲料メーカの承諾を取るだけで、個々の設置オーナーとの交渉は行う必要がなく、非常に短期間で環境検知装置を設置することができる。
【００１３】
更に、自動販売機の設置位置にかかわらず、常に環境検知装置の検出が、最適値になるように自動販売機に搭載した環境検知装置が可変できる機構を設けている。
【００１４】
更に、データ変調／復調装置と、センサ制御装置と、環境検知装置の電源については、自動販売機の電源を共用するため、あえて専用の電源を準備する必要ない。
【００１５】
請求項３に記載の自動販売機の発明は、請求項２に記載の発明において、感度向上のため環境検知装置が、上下、前後、左右の可動できる可動装置を有したことにより、自動販売機の設置位置にかかわらず、常に環境検知装置が、自動販売機周辺の環境情報を正確にリアルタイムで検知することができるため、自動販売機に搭載した環境検知装置が可変できる機構を設けている。
【００１６】
請求項４に記載の自動販売機の発明は、請求項１から３のいずれか一項に記載の発明において、前記電源装置と、前記通信用電源装置を、１つの電源で構成した共有電源装置を有したことにより、データ変調／復調装置と、センサ制御装置と、環境検知装置の電源については、自動販売機の電源を共用するため、あえて専用の電源を準備する必要ないため、電源装置のコストが安くでき、外部通信装置を搭載しやすくなる。その効果は大なるものである。
【００１７】
以下、本発明の自動販売機の一実施の形態について、図面を参照しながら説明する。なお、従来と同一構成については、同一符号を付して、その詳細な説明を省略する。
【００１８】
（実施の形態１）
図１は、本発明の実施の形態１における自動販売機の構成図である。図２は、同実施の形態の自動販売機のブロック図である。
【００１９】
図１、図２に示すように、外部通信装置１は、データ変調／復調装置２とセンサ制御装置３と、環境検知装置４と、通信用電源装置５で構成されている。
【００２０】
また自動販売機本体６には、商品の金銭管理や搬送の販売を行う販売制御装置７と、前記販売制御装置７の電源を賄う電源装置８で構成されている。
【００２１】
以下、図２を用いて、動作の説明を行う。
【００２２】
インターネットから公衆回線、専用回線等を経由し送信されてくる情報が、データ変調／復調装置２に入力され、復調された情報が、センサ制御装置３出力される、センサ制御装置３では、環境情報である、例えば温度、湿度、花粉の値である、時系列の変化、飛散量などを付加させたのち、環境検知装置４から環境情報を収集し、環境情報を送信する。
【００２３】
また、データ変調／復調装置２、センサ制御装置３の電源は、通信用電源装置５より供給されている。
【００２４】
また自動販売機本体６は、通常の商品の販売動作を行うため、電源装置８に入力されたＡＣ電源からＤＣ電源を、販売制御装置７に供給し、金銭管理、搬出動作を行う。
【００２５】
（実施の形態２）
図３は、本発明の実施の形態２における自動販売機の構成図である。図４は、同実施の形態の自動販売機のブロック図である。図５は、同実施の形態の自動販売機の可動装置の概略図である。なお、実施の形態１と同一構成については、その詳細な説明は省略する。
【００２６】
図３において、可動装置９は、環境検知装置４を上下、左右、前後に可動させるための装置である。
【００２７】
図４において、可動装置９は、通信用電源装置５からＤＣ電源を入力され、データ変調／復調装置２、センサ制御装置３、環境検知装置４の指令情報に基き、環境検知装置４を上下、左右、前後に環境検知装置４の位置を変更する。
【００２８】
図５を用いて、その詳細な動作を説明する。
【００２９】
図５において、可動装置９は、回転盤１２と、回転盤１２を昇降させる昇降装置１０と、回転盤１２を回転させる回転装置１１で構成されている。
【００３０】
回転盤１２に取り付けられている環境検知装置４は、昇降装置１０により上下の動作を行い、回転装置１１の回転方向により、前後、もしくは左右に環境検知装置の方向を変えることができる。
【００３１】
（実施の形態３）
図６は、本発明の実施の形態３における自動販売機の構成図である。図７は、同実施の形態の自動販売機のブロック図である。なお、実施の形態１または実施の形態２と同一構成については、その詳細な説明は省略する。
【００３２】
図６、図７において、本実施の形態の自動販売機は、外部通信装置１と自動販売機本体６に電源を供給する共用電源装置１３を搭載する。
【００３３】
図７において、その動作について説明する。実施の形態１または実施の形態２の自動販売機の通信用電源装置５と電源装置８の代わりに共用電源装置１３を自動販売機本体６内に搭載する。
【００３４】
ＡＣ電源を供給されて共用電源装置１３は、各々データ変調／復調装置２と販売制御装置７にＤＣ電源を入力することができる。
【００３５】
以上のように本発明の実施の形態の自動販売機は、温度、湿度、花粉等の環境情報を収集できる環境検知装置４をホットスポットサービスに接続された自動販売機に搭載し、ネットワークを介して、広範囲、リアルタイムに環境情報をユーザーに提供することができる。
【００３６】
更に、自動販売機の設置間隔で環境検知装置が設置されるため、広範囲なサービスエリアを網羅することができる。
【００３７】
更に、自動販売機は飲料メーカの所有物のため、飲料メーカの承諾を取るだけで、個々の設置オーナーとの交渉は行う必要がなく、非常に短期間で環境検知装置を設置することができる。
【００３８】
更に、自動販売機の設置位置にかかわらず、常に環境検知装置の検出が、最適値になるように自動販売機に搭載した環境検知装置が可変できる機構を設けている。
【００３９】
更に、データ変調／復調装置２と、センサ制御装置３と、環境検知装置４の電源については、自動販売機の電源を共用するため、あえて専用の電源を準備する必要ない。
【産業上の利用可能性】
【００４０】
本発明の自動販売機は、インターネットに接続することができ、ネットワークを介して、広範囲、リアルタイムに環境情報をユーザーに提供することができるものであり、自動販売機としては、飲料用に限らず、たばこ用、お菓子、インスタント食品用、乾電池用等の自動販売機に適用できる。
【図面の簡単な説明】
【００４１】
【図１】本発明の実施の形態１における自動販売機の構成図
【図２】本発明の実施の形態１における自動販売機のブロック図
【図３】本発明の実施の形態２における自動販売機の構成図
【図４】本発明の実施の形態２における自動販売機のブロック図
【図５】本発明の実施の形態２における自動販売機の可動装置の概略図
【図６】本発明の実施の形態３における自動販売機の構成図
【図７】本発明の実施の形態３における自動販売機のブロック図
【図８】従来例のホットスポットの構成図
【符号の説明】
【００４２】
１    外部通信装置
２    データ変調／復調装置
３    センサ制御装置
４    環境検知装置
５    通信用電源装置
６    自動販売機本体
７    販売制御装置
８    電源装置
９    可動装置
１０  昇降装置
１１  回転装置
１２  回転盤
１３  共用電源装置
【図１】
2006065554.tif 000003
【図２】
2006065554.tif 000004
【図３】
2006065554.tif 000005
【図４】
2006065554.tif 000006
【図５】
2006065554.tif 000007
【図６】
2006065554.tif 000008
【図７】
2006065554.tif 000009
【図８】
2006065554.tif 000010